(57)【要約】 【課題】  自動的に画像補正を行う自動画像補正回路において、複数ブロックの処理回路により高速かつ適切に画像補正を行う。【解決手段】  自動画像補正回路は、入力画像データを複数の画像補正ブロックによって画像補正を行う。画像補正ブロックは、入力画像データの階調値に基づいて総和データを算出し、総和データを総計して算出された統計値に基づいて画像補正を行う。これにより、自動画像補正回路は、高速処理が可能となると共に、表示される画像において画像補正の違いを生じさせない。なお、自動画像補正回路は、入力画像データが異なる画像で構成されている場合には、統計値を総計することなく、異なる統計値を用いて画像補正を行ってもよい。これにより、画像データの各々の性質や内容に適した画像補正を行うことができる。【選択図】      図１
2006071938.tif 000002
【特許請求の範囲】
【請求項１】
入力画像データの階調値に基づいて総和データを算出する総和データ算出手段、及び、統計値に基づいて前記入力画像データを補正する画像補正手段と、を有する複数の画像補正ブロックと、
前記複数の画像補正ブロックから出力される総和データに基づいて前記統計値を算出し、前記複数の画像補正ブロックに供給する統計値算出手段と、を備えることを特徴とする自動画像補正回路。
【請求項２】
前記統計値算出手段は、前記複数の画像補正ブロックから出力される総和データを総計して前記統計値を算出することを特徴とする請求項１に記載の自動画像補正回路。
【請求項３】
前記統計値算出手段は、前記複数の画像補正ブロックから出力される総和データの各々に基づいて統計値を算出し、それぞれ対応する前記画像補正ブロックに供給することを特徴とする請求項１に記載の自動画像補正回路。
【請求項４】
前記統計値算出手段は、外部からの制御信号に応じて統計値総計モードと統計値独立モードで動作し、
前記統計値総計モードでは、前記複数の画像補正ブロックから出力される総和データを総計して前記統計値を算出して前記複数の画像補正ブロックに供給し、
前記統計値独立モードでは、前記複数の画像補正ブロックから出力される総和データに基づいて独立に統計値を算出して、対応する前記画像補正ブロックに供給することを特徴とする請求項１に記載の自動画像補正回路。
【請求項５】
前記統計値算出手段は、前記複数の画像補正ブロックのうちの一部の画像補正ブロックから出力される総和データを総計して前記統計値を算出することを特徴とする請求項１に記載の自動画像補正回路。
【請求項６】
前記総和データ算出手段は、前記入力画像データの一部であるサンプリングエリア内の前記階調値に基づいて前記総和データを算出することを特徴とする請求項１乃至５のいずれか一項に記載の自動画像補正回路。
【請求項７】
外部から取得した画像データを、複数の前記入力画像データに分割して前記複数の画像補正ブロックに供給する画像分割手段をさらに備えることを特徴とする請求項１乃至６のいずれか一項に記載の自動画像補正回路。
【請求項８】
請求項１乃至７のいずれか一項に記載の自動画像補正回路と、
前記自動画像補正回路が画像補正を行った画像データを表示する画像表示部と、を備えることを特徴とする電子機器。
【発明の詳細な説明】
【技術分野】
【０００１】
本発明は、取得した画像データに対して自動的に画像補正を行う自動画像補正回路に関する。
【背景技術】
【０００２】
入力される画像データに対して自動的に画像補正を行う自動画像補正回路が知られている。自動画像補正回路は、取得した画像データの輝度や彩度などの統計値を算出し、この統計値を用いて現在入力されている画像に適した画像補正を行う回路である。自動画像補正回路は、画像補正としてレベル補正やガンマ補正やコントラスト補正などを行い、表示される画像を強調（エンハンス）する。
【０００３】
ここで、画面サイズがＵＸＧＡ（１６００×１２００画素）の画像表示装置に対しては例えば１６５ＭＨｚのドットクロックで高速な画像データが入力されるが、通常の自動画像補正回路の処理速度は４０ＭＨｚ程度であるため、上記のような画像表示装置に自動画像補正回路を搭載してもその処理速度が追いつかない。即ち、上記のように高速な画像データの自動画像補正処理には、通常の自動画像補正回路の処理速度の４倍以上の処理速度が要求されるため、自動画像補正回路内のシリコンウェハの動作スピードを向上させるだけでは対応できない。さらに、上記のＵＸＧＡにおいては２グループに分割された画像データが別々に２系統で入力される場合があるので、従来の自動画像補正回路のように１ブロックのみの処理回路で処理を行うのは得策ではなかった。
【発明の開示】
【発明が解決しようとする課題】
【０００４】
本発明は以上の点に鑑みてなされたものであり、自動的に画像補正を行う自動画像補正回路において、複数ブロックの処理回路により高速かつ適切に画像補正を行うことを課題とする。
【課題を解決するための手段】
【０００５】
本発明の１つの観点では、自動画像補正回路は、入力画像データの階調値に基づいて総和データを算出する総和データ算出手段、及び、統計値に基づいて前記入力画像データを補正する画像補正手段と、を有する複数の画像補正ブロックと、前記複数の画像補正ブロックから出力される総和データに基づいて前記統計値を算出し、前記複数の画像補正ブロックに供給する統計値算出手段と、を備える。
【０００６】
上記の自動画像補正回路は、静止画や動画などの入力画像データを自動的に画像補正する回路である。自動画像補正回路は、入力画像データを複数の画像補正ブロックによって画像補正を行う。画像補正ブロックは、入力画像データの階調値に基づいてヒストグラム、輝度総和、及び彩度総和（以下、これら３つをまとめて「総和データ」と呼ぶ。）を算出し、統計値算出手段から入力される統計値に基づいて入力画像データを画像補正する。統計値算出手段は、画像補正ブロックで算出された総和データに基づいて統計値を算出する。以上により、自動画像補正回路は、複数の画像補正ブロックによって入力画像データを画像補正するため、高速に画像補正することが可能となる。
【０００７】
上記の自動画像補正回路の一態様では、前記統計値算出手段は、前記複数の画像補正ブロックから出力される総和データを総計して前記統計値を算出する。
【０００８】
この態様では、統計値算出手段は、複数の画像補正ブロックで算出された総和データを総計して統計値を算出し、この統計値を画像補正ブロックに供給する。即ち、自動画像補正回路は、総計して同一の値にした統計値に基づいて画像補正を行う。これにより、自動画像補正回路は、入力画像データに対して複数の画像補正ブロックによって画像補正を行っても、表示される画像において画像補正の違いは生じない。例えば、表示される画像において、異なる画像補正ブロックで画像補正された画像データの境目に筋などが入っているように見えることはない。
【０００９】
上記の自動画像補正回路の他の一態様では、前記統計値算出手段は、前記複数の画像補正ブロックから出力される総和データの各々に基づいて統計値を算出し、それぞれ対応する前記画像補正ブロックに供給する。
【００１０】
この態様では、統計値算出手段は、複数の画像補正ブロックから出力される総和データの各々に基づいて統計値を算出し、算出された複数の統計値を対応する画像補正ブロックに供給する。即ち、算出された複数の統計値は、複数の画像補正ブロックの各々から算出された総和データに基づいた値となる。言い換えると、複数の画像補正ブロックに入力される統計値は、各々で異なる値となる。例えば、入力画像データが異なる画像データによって構成されている場合には、複数の画像補正ブロックは、異なる画像データの各々から算出される統計値を用いて画像補正を行う。これにより、自動画像補正回路は、異なる画像データ各々の性質や内容に適した画像補正を行うことができる。
【００１１】
上記の自動画像補正回路の他の一態様では、前記統計値算出手段は、外部からの制御信号に応じて統計値総計モードと統計値独立モードで動作し、前記統計値総計モードでは、前記複数の画像補正ブロックから出力される総和データを総計して前記統計値を算出して前記複数の画像補正ブロックに供給し、前記統計値独立モードでは、前記複数の画像補正ブロックから出力される総和データに基づいて独立に統計値を算出して、対応する前記画像補正ブロックに供給する。
【００１２】
この態様では、自動画像補正回路は、外部からの制御信号に応じた画像補正を行う。制御信号は、入力画像データの性質や内容に関する情報を含む信号であり、例えばテレビ電話などの複数画面同時画像表示を指定する情報などが含まれている。これにより、自動画像補正回路は、入力画像データの性質や内容に適した画像補正を行うことができる。
【００１３】
上記の自動画像補正回路の他の態様では、前記統計値算出手段は、前記複数の画像補正ブロックのうちの一部の画像補正ブロックから出力される総和データを総計して前記統計値を算出する。
【００１４】
この態様では、自動画像補正回路は、一部の画像補正ブロックから出力される総和データを総計した統計値を用いて、入力画像データの全てに対して画像補正を行うことができる。例えば、入力画像データの一部の画像データを特に効果的に画像補正したい場合などには、他の部分の画像データから算出される統計値に影響を受けることなく、当該一部の画像データを適切に画像補正することが可能となる。また、入力画像データが画面全体で変化の少ないものであった場合には、自動画像補正回路は、全ての画像データから総和データと統計値を算出しないで、一部の画像データから算出された統計値を用いて全ての画像データを画像補正することができる。
【００１５】
好適には、前記総和データ算出手段は、前記入力画像データの一部であるサンプリングエリア内の前記階調値に基づいて前記総和データを算出する。一部のサンプリングエリア内の階調値のみに基づいて総和データ及び統計値を算出することにより、自動画像補正回路は迅速な処理を行うことができる。
【００１６】
更に、好適には、自動画像補正回路は、外部から取得した画像データを、複数の前記入力画像データに分割して前記複数の画像補正ブロックに供給する画像分割手段をさらに備える。例えば、画像分割手段は、取得した画像データを交互に画像補正ブロックに供給したり、取得した画像データの画面の上半分と下半分とに分割した画像データを画像補正ブロックに供給することができる。
【００１７】
上記の自動画像補正回路は、画像表示部を備える電子機器に好適に適用することができる。
【発明を実施するための最良の形態】
【００１８】
以下、図面を参照して本発明の好適な実施形態について説明する。
【００１９】
［自動画像補正回路の構成］
本発明の実施形態に係る自動画像補正回路１００について、図１を用いて説明する。図１は、自動画像補正回路１００の概略構成を示すブロック図である。
【００２０】
自動画像補正回路１００は、主に、ＬＶＤＳ（Low Voltage Differential Signal）受信部１１と、ホストＩ／Ｆ１２と、レジスタ部１３と、統計値算出部１７と、画像補正ブロック５０ａ、５０ｂと、マルチプレクサ（Multi Plexer）２１と、を備えている。
【００２１】
自動画像補正回路１００は、静止画や動画などの画像データを取得し、これらの画像データをフレームごとに自動的に画像補正する回路である。自動画像補正回路１００は、主に、表示される画像を強調（エンハンス）する画像補正を行う。なお、自動画像補正回路１００は、画像表示部を備えた電子機器などに搭載することができる。例えば、画像表示部として液晶パネルなどを備える携帯電話や携帯型端末において、画像表示部に表示画像データを供給する画像処理部や、液晶パネルのドライバ内部などに設けることができる。また、自動画像補正回路１００は電子機器が備えるＣＰＵから同期信号ＳＹ１（垂直同期信号と水平同期信号を含む）を取得し、自動画像補正回路１００内の処理部は同期信号ＳＹ１に対応するタイミングにて処理を行う。この同期信号ＳＹ１は、上記の画像表示部にも供給される。
【００２２】
ＬＶＤＳ受信部１１は、自動画像補正回路１００が処理すべき画像データｄ１と、自動画像補正回路１００内で処理を行う際に基準となるクロック信号ＣＬＫ１と、を外部から取得する。ＬＶＤＳ受信部１１は、画像データｄ１が高速で入力される場合にフルスイングの電圧でデータを出力すると回路内に電磁波障害（ＥＭＩ障害）が生じてしまうために、小さいスイングの電圧に抑えたデータを出力する。なお、入力される画像データｄ１はＲＧＢ形式のデータであり、例えば２４ビット／画素のデータである。
【００２３】
ＬＶＤＳ受信部１１は、入力される画像データｄ１を分割し、分割した画像データｄ２ａと画像データｄ２ｂをそれぞれ画像補正ブロック５０ａと画像補正ブロック５０ｂに供給する。また、ＬＶＤＳ受信部１１は、クロック信号ＣＬＫ２ａとクロック信号ＣＬＫ２ｂも画像補正ブロック５０ａ、５０ｂに供給する。以上のように、ＬＶＤＳ受信部１１は画像分割手段として機能する。
【００２４】
なお、ＬＶＤＳ受信部１１は、２グループに分割された画像データを２系統にて取得することもでき、この場合には画像データを分割せずに画像補正ブロック５０ａ、５０ｂに画像データｄ２ａ、ｄ２ｂを供給する。また、画像データｄ１を単一のＬＶＤＳ受信部１１にて取得する構成に限定はされず、複数のグループに分割された画像データを複数のＬＶＤＳ受信部にて取得するように自動画像補正回路１００を構成してもよい。
【００２５】
ホストＩ／Ｆ１２は、画像補正を行う際に用いられる設定値Ｓ１と、設定値の記録を行う際に用いるクロック信号ＣＬＫ１１と、を外部（例えば、自動画像補正回路１００が搭載される電子機器内のＣＰＵなど）から取得する。設定値は、画像補正を行う範囲や画像補正を行う強さ（レベル）などを決める情報であり、ユーザなどにより変更されない限り変わらない。上記の設定値Ｓ１は、ユーザなどによって変更された新たな設定値に対応する。ホストＩ／Ｆ１２は、クロック信号ＣＬＫ１１を利用して、変更された新たな設定値Ｓ１をレジスタ部１３に記録する。この場合、ホストＩ／Ｆ１２は、設定値Ｓ２とクロック信号ＣＬＫ１２をレジスタ部１３に供給する。
【００２６】
レジスタ部１３は、ホストＩ／Ｆ１２から設定値Ｓ２とクロック信号１２を取得すると共に、同期信号ＳＹ２を取得する。同期信号ＳＹ２も、自動画像補正回路１００が搭載される電子機器内のＣＰＵなどから供給される。レジスタ部１３は、レジスタを有しており、レジスタ内に前述した設定値を記憶している。そして、レジスタ部１３は、供給される同期信号ＳＹ２のタイミングにて、記憶している設定値を出力する。また、ユーザなどにより設定値の変更があった場合には、レジスタ部１３は、ホストＩ／Ｆ１２から供給されるクロック信号ＣＬＫ１２のタイミングにて、変更された新たな設定値Ｓ２を取得する。この場合、レジスタ部１３は、クロック信号ＣＬＫ１２のタイミングにて変更された設定値Ｓ２を出力せずに、上記の同期信号ＳＹ２のタイミングにて変更された設定値Ｓ２を出力する。よって、１フレームの画像データが異なる設定値にて画像補正されることはない。レジスタ部１３は、画像補正ブロック５０ａ、５０ｂ内の複数の処理部、及びマルチプレクサ２１に設定値を出力する。
【００２７】
本実施形態に係る自動画像補正回路１００は、２グループに分割された画像データｄ２ａ、ｄ２ｂを画像補正ブロック５０ａと画像補正ブロック５０ｂの２ブロックにて画像補正を行う。即ち、自動画像補正回路１００は、取得した画像データｄ１を複数ブロックによって画像補正を行う。具体的には、画像補正ブロック５０ａと画像補正ブロック５０ｂは、入力された画像データｄ２ａ、ｄ２ｂの各々に対して階調値のヒストグラム、輝度総和、及び彩度総和（即ち、「総和データ」）を算出し、総和データを統計値算出部１７に供給する。統計値算出部１７は、総和データから画像データの統計値を算出し、算出した統計値を画像補正ブロック５０ａ、５０ｂのそれぞれに供給する。そして、画像補正ブロック５０ａと画像補正ブロック５０ｂは、統計値算出部１７から供給された統計値に基づいて補正量を求め、この補正量を用いて画像データに対して画像補正を行う。画像補正ブロック５０ａと画像補正ブロック５０ｂにて画像補正された画像データｄ６ａ、ｄ６ｂは、マルチプレクサ２１に供給される。なお、画像補正ブロック５０ａ、５０ｂ内の詳細な画像処理については後述する。
【００２８】
マルチプレクサ２１は、２つの画像データｄ６ａ、ｄ６ｂを１つにまとめた画像データｄ７を生成し、生成した画像データｄ７を図示しない画像表示部（ＬＣＤパネルなど）に出力する。この場合、マルチプレクサ２１は、レジスタ部１３より供給される設定値Ｓｅｔ４に基づいて処理を行う。そして、図示しない画像表示部は、マルチプレクサ２１から供給される画像データｄ７を表示する。
【００２９】
なお、自動画像補正回路１００は、２つの画像データｄ６ａ、ｄ６ｂを１つにまとめることなく、２つの画像データを画像表示部に出力してもよい。この場合には、自動画像補正回路１００はマルチプレクサ２１を有しなくてもよく、画像補正ブロック５０ａ、５０ｂから出力される画像データｄ６ａ、ｄ６ｂが、そのまま画像表示部に供給される。
【００３０】
次に、画像補正ブロック５０ａ、５０ｂ、及び統計値算出部１７にて実行される画像処理を詳細に説明する。
【００３１】
画像補正ブロック５０ａは、ＹＵＶ変換部１５ａと、総和データ算出部１６ａと、補正量算出部１８ａと、画像補正部１９ａと、ＲＧＢ変換部２０ａと、を備えている。同様に、画像補正ブロック５０ｂは、ＹＵＶ変換部１５ｂと、総和データ算出部１６ｂと、補正量算出部１８ｂと、画像補正部１９ｂと、ＲＧＢ変換部２０ｂと、を備えている。
【００３２】
ＹＵＶ変換部１５ａ、１５ｂには、それぞれ画像データｄ２ａ、ｄ２ｂと、クロック信号ＣＬＫ２ａ、ＣＬＫ２ｂと、が入力される。ＹＵＶ変換部１５ａ、１５ｂは、ＲＧＢ形式の画像データｄ２ａ、ｄ２ｂをＹＵＶ形式に変換する（ＹＵＶ変換）。ＹＵＶ変換部１５ａ、１５ｂは、ＹＵＶ変換した画像データｄ３ａ、ｄ３ｂを画像補正部１９ａ、１９ｂに供給すると共に、ＹＵＶ変換した画像データｄ４ａ、ｄ４ｂを総和データ算出部１６ａ、１６ｂに供給する。なお、ＹＵＶ変換部１５ａ、１５ｂは、画面の一部の領域（後述するサンプリングエリア）を抽出したデータを画像データｄ４ａ、ｄ４ｂとして総和データ算出部１６ａ、１６ｂに供給することができる。
【００３３】
総和データ算出部１６ａ、１６ｂは、取得した画像データｄ４ａ、ｄ４ｂに係る総和データを算出する。具体的には、総和データ算出部１６ａ、１６ｂは、階調値のヒストグラムを生成すると共に、輝度総和と彩度総和を算出する。また、総和データ算出部１６ａ、１６ｂは、供給される同期信号ＳＹ３ａ、ＳＹ３ｂのタイミングにてフレーム期間中に上記の処理を行う。このように算出された総和データＳｕｍ＿ａ、Ｓｕｍ＿ｂは、統計値算出部１７に出力される。以上のように、総和データ算出部１６ａ、１６ｂは、総和データ算出手段として機能する。
【００３４】
統計値算出部１７は、取得した総和データＳｕｍ＿ａ、Ｓｕｍ＿ｂに基づいて、画像データｄ４ａ、ｄ４ｂの輝度及び彩度に係る統計値を算出する。具体的には、統計値算出部１７は統計値として、輝度の最大値／最小値と、輝度及び彩度の平均値と、輝度の標準偏差と、を算出する。統計値算出部１７は、供給される同期信号ＳＹ４のタイミングにて上記の処理を行うと共に、総和データ算出部１６ａ、１６ｂによる１つのフレームの処理が終了した後に処理を行う。
【００３５】
また、統計値算出部１７は、レジスタ部１３から供給される信号Ｓｅｔ１に基づいて、総和データＳｕｍ＿ａ、Ｓｕｍ＿ｂから統計値Ｓｔａ＿ａ、Ｓｔａ＿ｂを算出する。具体的には、信号Ｓｅｔ１は、統計値算出部１７が総和データ算出部１６ａ及び１６ｂから出力された総和データＳｕｍ＿ａ及びＳｕｍ＿ｂの各々を、後段の画像補正部１９ａ、１９ｂにおいて使用する統計値とする（以下、「統計値独立モード」とも呼ぶ。）か、それらの総計を画像補正部１９ａ、１９ｂにおいて使用する統計値とする（以下、「統計値総計モード」とも呼ぶ。）か、を示すモード情報を含んでいる。信号Ｓｅｔ１が統計値総計モードを示している場合、統計値算出部１７は、総和データＳｕｍ＿ａ、Ｓｕｍ＿ｂの各々から算出した統計値を総計した値を統計値として出力する。この場合、統計値算出部１７から出力される統計値Ｓｔａ＿ａと統計値Ｓｔａ＿ｂは同一の値となる。このように総計して同一の値にされた統計値を画像補正に用いることにより、画像補正ブロック５０ａ、５０ｂにて別個に算出された統計値が異なる場合であっても、画像補正ブロック５０ａ、５０ｂにおいて実行される画像補正に相違は生じない。即ち、自動画像補正回路１００は、分割された画像データに対して複数ブロックにて画像補正を行っても、各々の画像データに対して同一の統計値に基づいて画像補正を行っているため、表示される画像において、分割された画像データの境目に筋などが生じることはない。
【００３６】
一方、信号Ｓｅｔ１が統計値独立モードを示している場合、統計値算出部１７は、総和データＳｕｍ＿ａ、Ｓｕｍ＿ｂの各々から算出された統計値をそれぞれ画像補正部１９ａ及び１９ｂへ出力する。即ち、統計値算出部１７は、総和データＳｕｍ＿ａ及びＳｕｍ＿ｂの各統計値を総計しない。よって、統計値算出部１７から出力される統計値Ｓｔａ＿ａと統計値Ｓｔａ＿ｂは異なる値となる。例えば、テレビ電話などにて送信側の画像と受信側の画像を同時に表示させる場合（即ち、複数画面同時表示を行う場合）には、上記の２つの画像データから算出された統計値Ｓｔａ＿ａ、Ｓｔａ＿ｂを総計することなく、そのまま画像補正に用いる。これにより、自動画像補正回路１００は、送信側の画像と受信側の画像の各々に対して適切な画像補正を行うことが可能となる。以上のように、統計値算出部１７は、統計値算出手段として機能する。
【００３７】
なお、信号Ｓｅｔ１により統計値算出部１７が統計値総計モードと統計値独立モードのいずれに設定されるかは、自動画像補正回路１００が対象とする画像の性質、内容などに応じて当該自動画像補正回路１００を搭載した電子機器などのＣＰＵが決定し、それを示す信号をホストＩ／Ｆ１２に供給する。例えば、ＣＰＵは通常の１つの画像データを表示する場合には統計値総計モードを指定するモード指定信号をホストＩ／Ｆ１２に供給し、ＴＶ電話などのように異なる独立な２つの画像データを同時に表示する場合には統計値独立モードを指定するモード指定信号をホストＩ／Ｆ１２に供給する。ホストＩ／Ｆ１２は上記のモード指定信号に対応するレジスタ値をレジスタ部１３に供給し、レジスタ部１３はこのレジスタ値を信号Ｓｅｔ１として統計値算出部１７に供給する。
【００３８】
以上のように算出された統計値Ｓｔａ＿ａ、Ｓｔａ＿ｂは、補正量算出部１８ａ、１８ｂに供給される。補正量算出部１８ａ、１８ｂは、取得した統計値Ｓｔａ＿ａ、Ｓｔａ＿ｂに基づいて画像データに対して補正する強さ（即ち、補正量）を算出する。具体的には、補正量算出部１８ａ、１８ｂは、レベル補正係数と、ガンマ補正量と、コントラスト補正量と、彩度補正量と、を算出する。こうして算出された補正量に対応する信号Ｃｏｒｒ＿ａ、Ｃｏｒｒ＿ｂは、画像補正部１９ａ、１９ｂに出力される。なお、補正量算出部１８ａ、１８ｂは、補正量の算出と同時に、画像データに対してシーン検出も行う。また、補正量算出部１８ａ、１８ｂは、レジスタ部１３から供給される設定値Ｓｅｔ２ａ、２ｂに基づいて統計値を算出する。
【００３９】
画像補正部１９ａ、１９ｂには、レジスタ部１３から供給される設定値Ｓｅｔ３ａ、Ｓｅｔ３ｂと、補正量算出部１８ａ、１８ｂから供給される補正量Ｃｏｒｒ＿ａ、Ｃｏｒｒ＿ｂと、ＹＵＶ変換部１５ａ、１５ｂにてＹＵＶ変換された画像データｄ３ａ、ｄ３ｂと、が供給される。画像補正部１９ａ、１９ｂは、画像データｄ３ａ、ｄ３ｂに対して、補正量Ｃｏｒｒ＿ａ、Ｃｏｒｒ＿ｂ及び設定値Ｓｅｔ３ａ、Ｓｅｔ３ｂに基づいて画像補正を行う。具体的には、画像補正部１９ａ、１９ｂは、レベル補正と、ガンマ補正と、コントラスト補正と、彩度補正と、を画像データｄ３ａ、ｄ３ｂに対して行う。こうして画像補正された画像データｄ５ａ、ｄ５ｂは、ＲＧＢ変換部２０ａ、２０ｂに出力される。以上のように、画像補正部１９ａ、１９ｂは、画像補正手段として機能する。
【００４０】
ＲＧＢ変換部２０ａ、２０ｂは、供給されたＹＵＶ形式の画像データｄ５ａ、ｄ５ｂをＲＧＢ形式のデータに変換する（即ち、「ＲＧＢ変換」）。ＲＧＢ変換部２０ａ、２０ｂは、ＲＧＢ変換した画像データｄ６ａ、ｄ６ｂをマルチプレクサ２１に供給する。そして、マルチプレクサ２１は、２つの画像データｄ６ａ、ｄ６ｂを１つにまとめた画像データｄ７を出力する。
【００４１】
このように、本実施形態に係る自動画像補正回路１００は複数ブロックにて画像補正を行うため、情報量の多い画像データに対しても高速処理することが可能となる。また、自動画像補正回路１００は、統計値算出部１７の動作モードが統計値総計モードに設定されている場合には、ブロックごとに算出した統計値を総計した値を用いて画像補正を行うため、表示される画像において、分割された画像の間で画像補正の違いが生じることはない。一方、自動画像補正回路１００は、統計値算出部１７の動作モードが統計値独立モードに設定されている場合は、ブロックごとに算出された統計値を用いて、分割された画像の各々に適した別個の画像補正を行う。以上より、自動画像補正回路１００は、複数の画像補正ブロックにて、入力される画像データに対応するモードで適切な画像補正を行うことができる。
【００４２】
［画像補正方法］
以下では、本実施形態に係る自動画像補正回路１００が行う画像補正方法について図２乃至６を用いて説明する。
【００４３】
（第１の画像補正方法）
図２は、第１の画像補正方法を説明するための図である。図２（ａ）は、自動画像補正回路１００に入力される画像データＧＩ１（図１中の画像データｄ１に対応する）を示している。具体的には、画像データＧＩ１は、画像データＧＩ１ａと画像データＧＩ１ｂとに１画面が上下に２分割されている。この場合、画像データＧＩ１ａは画像補正ブロック５０ａに入力され、画像データＧＩ１ｂは画像補正ブロック５０ｂに入力される。本例では、１画面の画像データを２つの画像補正ブロック５０ａ、５０ｂにより処理するので、統計値算出部１７は統計値総計モードで動作する。
【００４４】
図２（ｂ）は、画像補正ブロック５０ａ、５０ｂが画像補正を行う際に使用する統計値算出の対象とする領域Ｓａｍｐ１（以下、単に「サンプリングエリア」と呼ぶ）を示している。サンプリングエリアＳａｍｐ１は、サンプリングエリアＳａｍｐ１ａ、Ｓａｍｐ１ｂから成る。この場合、画像補正ブロック５０ａの総和データ算出部１６ａはサンプリングエリアＳａｍｐ１ａ内の画像データを用いて総和データＳｕｍ＿ａを算出し、統計値算出部１７へ供給する。また、画像補正ブロック５０ｂの総和データ算出部１６ｂはサンプリングエリアＳａｍｐ１ｂ内の画像データを用いて総和データＳｕｍ＿ｂを算出し、統計値算出部１７へ供給する。統計値算出部１７は総和データＳｕｍ＿ａ及びＳｕｍ＿ｂの総計に基づいて同一の統計値Ｓｔａ＿ａと統計値Ｓｔａ＿ｂを補正量算出部１８ａ及び１８ｂへそれぞれ出力する。即ち、画像補正ブロック５０ａ及び５０ｂは、サンプリングエリアＳａｍｐ１全体の統計値に基づいて各々画像補正を行う。なお、サンプリングエリアＳａｍｐ１を画像全体ではなく、図２（ｂ）に示すように画像の中心領域のみとする理由は、通常観察者は画像の中心領域を見ることが多いため、その領域の画像データに基づいて画像補正を行うことが効果的だからである。
【００４５】
図２（ｃ）は、自動画像補正回路１００から出力される画像データＧＯ１を示している。画像データＧＯ１は、画像データＧＯ１ａ、ＧＯ１ｂから成る。画像データＧＯ１ａは、画面の上方向に位置する画像データであり、画像補正ブロック５０ａにて画像補正されたものである（図１中の画像データｄ６ａに対応する）。画像データＧＯ１ｂは、画面の下方向に位置する画像データであり、画像補正ブロック５０ｂにて画像補正されたものである（図１中の画像データｄ６ｂに対応する）。画像データＧＯ１ａ、ＧＯ１ｂは、サンプリングエリアＳａｍｐ１ａ、Ｓａｍｐ１ｂの各々から算出された統計値を総計した値を用いて画像補正されている。これにより、画像データＧＯ１ａ、ＧＯ１ｂにおいては、画像補正の違いは生じない。例えば、異なる統計値に基づいて画像データＧＩ１ａとＧＩ１ｂの輝度を補正した結果、図２（ｃ）における画像データＧＯ１ａと画像データＧＯ１ｂとの境目に筋が入っているように見える等の不具合は生じない。なお、自動画像補正回路１００は、画面の上下で２分割された画像データＧＯ１ａ、ＧＯ１ｂをそのまま画像表示部に出力してもよいし、画像データＧＯ１ａ、ＧＯ１ｂをマルチプレクサ２１が１つにまとめた画像データを出力してもよい。
【００４６】
（第２の画像補正方法）
次に、図３及び図４を用いて第２の画像補正方法を説明する。
【００４７】
図３は、第２の画像補正方法を説明するための図である。図３（ａ）は、自動画像補正回路１００に入力される画像データＧＩ２（図１中の画像データｄ１に対応する）を示している。この場合、１画面分の画像データＧＩ２が自動画像補正回路１００に入力され、ＬＶＤＳ受信部１１は画像データＧＩ２を２分割した画像データＧＩ２ａ、ＧＩ２ｂ（図１中の画像データｄ２ａ、ｄ２ｂに対応する）をＹＵＶ変換部１５ａ、１５ｂに供給する。詳しくは、ＬＶＤＳ受信部１１は、画像データＧＩ２をドットクロックの奇数番目と偶数番目とに２分割する。ドットクロックの奇数番目に対応する画像データＧＩ２ａは画像補正ブロック５０ａに入力され、ドットクロックの偶数番目に対応する画像データＧＩ２ｂは画像補正ブロック５０ｂに入力される。なお本例では、１画面の画像データを２つの画像補正ブロック５０ａ、５０ｂにより処理するので、統計値算出部１７は統計値総計モードで動作する。
【００４８】
ここで、画像補正ブロック５０ａ、５０ｂに分割された画像データＧＩ２が入力される様子を、図４を用いて説明する。図４は、画像補正ブロック５０ａ、５０ｂ内に入力される画像データ及びクロック信号のタイムチャートを示す図である。図４（ａ）は、ＬＶＤＳ受信部１１に入力されるクロック信号ＣＬＫ１を示し、図４（ｂ）は、ＬＶＤＳ受信部１１に入力される画像データｄ１（画像データＧＩ２に対応する）を示している。ＬＶＤＳ受信部１１には、クロック信号ＣＬＫ１のタイミングにて画像データｄ１が入力されている。図４（ｃ）は、画像補正ブロック５０ａのＹＵＶ変換部１５ａに入力されるクロック信号ＣＬＫ２ａを示しており、図４（ｄ）は、ＹＵＶ変換部１５ａに入力される画像データｄ２ａ（画像データＧＩ２ａに対応する）を示している。ＹＵＶ変換部１５ａには、クロック信号ＣＬＫ２ａのタイミングにて画像データｄ２ａが入力されている。図４（ｅ）は、画像補正ブロック５０ｂのＹＵＶ変換部１５ｂに入力されるクロック信号ＣＬＫ２ｂを示しており、図４（ｆ）は、ＹＵＶ変換部１５ｂに入力される画像データｄ２ｂ（画像データＧＩ２ｂに対応する）を示している。ＹＵＶ変換部１５ｂには、クロック信号ＣＬＫ２ｂのタイミングにて画像データｄ２ｂが入力されている。
【００４９】
図４（ｂ）に示すように、ＬＶＤＳ受信部１１には、画像データＡ１→画像データＡ１に隣接する画像データＡ２→画像データＡ２に隣接する画像データＡ３…→画像データＡ６に隣接する画像データＡ７…の順に画像データｄ１が入力される。このとき、ＹＵＶ変換部１５ａには、図４（ｄ）に示すように、画像データｄ１の画像データＡ１→画像データＡ３→画像データＡ５…が入力される。即ち、画像補正ブロック５０ａには、画像データｄ１のドットクロックの奇数番目に対応するデータが入力されることになる。一方、図４（ｆ）に示すように、ＹＵＶ変換部１５ｂには、画像データｄ１の画像データＡ２→画像データＡ４→画像データＡ６…が入力される。即ち、画像補正ブロック５０ｂには、画像データｄ１のドットクロックの偶数番目に対応するデータが入力されることになる。このように、画像補正ブロック５０ａ、５０ｂは、ドットクロックの奇数番目のデータと偶数番目のデータに分割された画像データｄ２ａ、ｄ２ｂをＬＶＤＳ受信部１１から取得する。
【００５０】
図３に戻って、第２の画像処理方法についての説明を再開する。図３（ｂ）は、画像補正ブロック５０ａ、５０ｂが画像補正を行う際に使用する統計値算出の対象とするサンプリングエリアＳａｍｐ２を示している。具体的には、画像補正ブロック５０ａは、サンプリングエリアＳａｍｐ２内の、ドットクロックの奇数番目に対応する画像データを用いて総和データＳｕｍ＿ａを算出し、統計値算出部１７へ供給する。また、画像補正ブロック５０ｂの総和データ算出部１６ｂはサンプリングエリアＳａｍｐ２内の、ドットクロックの偶数番目に対応する画像データを用いて総和データＳｕｍ＿ｂを算出し、統計値算出部１７へ供給する。統計値算出部１７は総和データＳｕｍ＿ａ及びＳｕｍ＿ｂの総和に基づいて同一の統計値Ｓｔａ＿ａと統計値Ｓｔａ＿ｂを補正量算出部１８ａ及び１８ｂへそれぞれ出力する。即ち、画像補正ブロック５０ａ及び５０ｂは、サンプリングエリアＳａｍｐ１全体の統計値に基づいて各々画像補正を行う。
【００５１】
図３（ｃ）は、自動画像補正回路１００から出力される画像データＧＯ２を示している。画像データＧＯ２は、画像データＧＯ２ａ、ＧＯ２ｂから成る。画像データＧＯ２ａはドットクロックの奇数番目に対応する画像データであり、画像補正ブロック５０ａにて画像補正されたものである（図１中の画像データｄ６ａに対応する）。また、画像データＧＯ２ｂはドットクロックの偶数番目に対応する画像データであり、画像補正ブロック５０ｂにて画像補正されたものである（図１中の画像データｄ６ｂに対応する）。画像データＧＯ２ａ、ＧＯ２ｂも、サンプリングエリアＳａｍｐ２から算出された統計値を総計した値を用いて画像補正が行われているため、画像補正の違いは生じない。例えば、異なる統計値に基づいて画像データＧＩ２ａとＧＩ２ｂの輝度を補正した結果、図３（ｃ）における画像データＧＯ２ａとＧＯ２ｂの間に筋が入っているように見える等の不具合は生じない。なお、自動画像補正回路１００は、マルチプレクサ２１が奇数番目及び偶数番目に対応する画像データＧＯ２ａ、ＧＯ２ｂを１つにまとめて画像表示部に出力してもよいし、画像データＧＯ２ａ、ＧＯ２ｂを１つにまとめることなくそのまま出力してもよいし、或いは画像データＧＯ２ａ、ＧＯ２ｂを１つにまとめた画像データを更に画面の上下に２分割した画像データを画像表示部に出力してもよい。
【００５２】
（第３の画像補正方法）
次に、図５を用いて第３の画像補正方法を説明する。
【００５３】
第３の画像補正方法は、例えばテレビ画像などに用いられるＮＴＳＣ信号を自動画像補正回路１００が処理する場合に実行される画像補正方法である。このような場合は、自動画像補正回路１００は、インターレースにて画像データを取得する。具体的には、図５（ａ）に示すような画像データＧＩ３ａが、まず１ｓｔフィールド画像として自動画像補正回路１００に入力される。画像データＧＩ３ａは、画面の横方向の奇数ラインの画像データＧＩ３ａａから構成されている。画像データＧＩ３ａの入力が完了した後に、図５（ｂ）に示すような画像データＧＩ３ｂが、２ｎｄフィールド画像として自動画像補正回路１００に入力される。画像データＧＩ３ｂは、画面の横方向の偶数ラインの画像データＧＩ３ｂａから構成されている。上記のように画像データがインターレースで入力される場合、ＬＶＤＳ受信部１１は、入力される画像データＧＩ３ａ及び画像データＧＩ３ｂを分割し、分割した画像データを画像補正ブロック５０ａ、５０ｂのそれぞれに供給する。例えば、ＬＶＤＳ受信部１１は、１ｓｔフィールド画像である画像データＧＩ３ａを交互に画像補正ブロック５０ａ及び５０ｂに供給し、続いて、２ｎｄフィールド画像である画像データＧＩ３ｂを交互に画像補正ブロック５０ａ及び５０ｂに供給する。なお本例では、１画面の画像データを２つの画像補正ブロック５０ａ、５０ｂにより処理するので、統計値算出部１７は統計値総計モードで動作する。
【００５４】
図５（ｃ）は、画像補正ブロック５０ａ、５０ｂが画像補正を行う際に使用する統計値算出の対象とするサンプリングエリアＳａｍｐ３を示している。例えば、画像補正ブロック５０ａは、サンプリングエリアＳａｍｐ３内の画像データを用いて総和データＳｕｍ＿ａを算出し、統計値算出部１７へ供給する。また、画像補正ブロック５０ｂの総和データ算出部１６ｂもサンプリングエリアＳａｍｐ３内画像データを用いて総和データＳｕｍ＿ｂを算出し、統計値算出部１７へ供給する。統計値算出部１７は総和データＳｕｍ＿ａ及びＳｕｍ＿ｂの総和に基づいて同一の統計値Ｓｔａ＿ａと統計値Ｓｔａ＿ｂを補正量算出部１８ａ及び１８ｂへそれぞれ出力する。即ち、画像補正ブロック５０ａ及び５０ｂは、サンプリングエリアＳａｍｐ３全体の統計値に基づいて各々画像補正を行う。
【００５５】
図５（ｄ）は、自動画像補正回路１００から出力される画像データＧＯ３を示している。画像データＧＯ３は、画像データＧＯ３ａ、ＧＯ３ｂから成る。画像データＧＯ３ａ、ＧＯ３ｂは、画像補正ブロック５０ａ、５０ｂの両方にて処理された後の画像データＧＩ３ａを示している。画像データＧＯ３ａ、ＧＯ３ｂも、画像補正ブロック５０ａ、５０ｂのそれぞれにて算出された統計値を総計した値を用いて画像補正が行われているので、異なる統計値に基づいて画像データＧＩ３ａとＧＩ３ｂの輝度を補正した結果、図５（ｄ）における画像データＧＯ３ａとＧＯ３ｂの間に筋が入っているように見える等の不具合は生じない。
【００５６】
（第４の画像補正方法）
次に、図６を用いて第４の画像補正方法を説明する。
【００５７】
第４の画像補正方法は、複数画面同時画像表示などを行う際に実行される画像補正方法である。複数画面同時画像表示としては、例えばテレビ電話などにて受信側の画像データと送信側の画像データを同時に表示する場合などが挙げられる。具体的には、図６（ａ）に示すように画像データＧＩ４は、送信側に対応する画像データＧＩ４ａと受信側に対応する画像データＧＩ４ｂを含んでいる。画像データＧＩ４ａは画像補正ブロック５０ａに入力され、画像データＧＩ４ｂは画像補正ブロック５０ｂに入力される。なお本例では、複数の異なる画面の画像データを２つの画像補正ブロック５０ａ、５０ｂによりそれぞれ処理するので、統計値算出部１７は統計値独立モードで動作する。
【００５８】
図６（ｂ）は、画像補正ブロック５０ａ、５０ｂが画像補正を行う際に使用する統計値算出の対象とするサンプリングエリアＳａｍｐ４を示している。サンプリングエリアＳａｍｐ４は、サンプリングエリアＳａｍｐ４ａ、Ｓａｍｐ４ｂから成る。サンプリングエリアＳａｍｐ４ａは画像データＧＩ４ａのエリア内に完全に収まるように設定され、サンプリングエリアＳａｍｐ４ｂは画像データＧＩ４ｂのエリア内に完全に収まるように設定されている。この場合、画像データＧＩ４ａが入力される画像補正ブロック５０ａは、サンプリングエリアＳａｍｐ４ａ内の画像データの統計値を用いて画像補正を行い、画像データＧＩ４ｂが入力される画像補正ブロック５０ｂは、サンプリングエリアＳａｍｐ４ｂ内の画像データの統計値を用いて画像補正を行う。
【００５９】
図６（ｃ）は、自動画像補正回路１００から出力される画像データＧＯ４を示している。画像データＧＯ４は、画像データＧＯ４ａ、ＧＯ４ｂを含んでいる。画像データＧＯ４ａは、画像補正ブロック５０ａがサンプリングエリアＳａｍｐ４ａ内の画像データの統計値のみを用いて画像データＧＩ４ａを画像補正したデータである。また、画像データＧＯ４ｂは、画像補正ブロック５０ｂがサンプリングエリアＳａｍｐ４ｂ内の画像データの統計値のみを用いて画像データＧＩ４ｂを画像補正したデータである。このようにテレビ電話などの複数画面同時表示に係る画像データが自動画像補正回路１００に入力される場合、入力された画像データＧＩ４ａ、ＧＩ４ｂはもともと異なる画像であるため、統計値算出部１７は統計値独立モードに設定される。よって、画像補正ブロック５０ａ、５０ｂは画像データＧＩ４ａ、ＧＩ４ｂから算出された統計値を総計しない。即ち、自動画像補正回路１００は、画像データＧＩ４ａ、ＧＩ４ｂの各々に対して、各々対応するサンプリングエリアＳａｍｐ４ａ及びＳａｍｐ４ｂにおいて得られた統計値に基づいて、別個に画像補正を実行する。これにより、自動画像補正回路１００は、画像データＧＩ４ａ、ＧＩ４ｂの各々に適した画像補正を行うことができる。なお、上記のようにテレビ電話などにて受信側の画像データと送信側の画像データを同時に表示する場合は、各画像補正ブロック５０ａ及びｂ５０ｂの処理速度に応じて、処理する画像データのフレームレートを下げるようにしてもよい。
【００６０】
［変形例］
次に、本発明の変形例に係る自動画像補正回路１００ａについて、図７を用いて説明する。
【００６１】
図７は、自動画像補正回路１００ａの概略構成を示すブロック図である。自動画像補正回路１００ａも、自動画像補正回路１００と同様に、２ブロックにて分割された画像データに対して別個に画像補正する回路である。以下では、上記した自動画像補正回路１００と同一の構成要素については同一の符号を付し、その説明は省略する。
【００６２】
自動画像補正回路１００ａは、画像補正ブロック５０ｂの代わりに画像補正ブロック５０ｃを有する点で自動画像補正回路１００と異なる。具体的には、画像補正ブロック５０ｃは入力される画像データｄ２ｂに基づいて補正量を算出せずに、画像補正ブロック５０ａから供給される補正量Ｃｏｒｒ＿ｃを用いて画像補正を行う。詳しくは、画像補正ブロック５０ｃは、画像補正ブロック５０ｂと異なり、総和データ算出部１６ｂと補正量算出部１８ｂを有しておらず、総和データＳｕｍ＿ｂ、統計値Ｓｔａ＿ｂ、及び補正量Ｃｏｒｒ＿ｂを算出しない。即ち、画像補正ブロック５０ｃは、画像補正ブロック５０ａの補正量算出部１８ａにて算出された補正量Ｃｏｒｒ＿ａと同一の値である補正量Ｃｏｒ＿ｃを用いて画像補正を行う。つまり、自動画像補正回路１００ａは、２分割された画像データの一方の画像データの統計値のみから補正量を算出し、１つの補正量を用いて２分割された画像データの両方を画像補正する。
【００６３】
具体的には、画像補正ブロック５０ａ、５０ｂが異なる位置にあるサンプリングエリアを用いる場合、例えば図２（ａ）中の画像データＧＩ１ａのみを特に効果的に画像補正したい場合には、サンプリングエリアＳａｍｐ１ａ、１ｂの両方から補正量を算出しない。この場合には、サンプリングエリアＳａｍｐ１ａ内の画像データのみから統計値などを算出することにより、サンプリングエリアＳａｍｐ１ｂ内の画像データに影響を受けることなく、画像データＧＩ１ａを適切に画像補正することが可能となる。また、上記の処理は、図６に示したようなＴＶ電話に係る画像を画像補正する際に、受信側の画像データＧＩ４ｂのみを画像補正すればよい場合などにも有効な処理となる。
【００６４】
更に、図２（ｂ）、図３（ｂ）及び図５（ｃ）に示したように、２つの画像補正ブロック５０ａ、５０ｂが概ね同一の位置にあるサンプリングエリアを用いる場合には、画像補正ブロック５０ａ、５０ｂから算出された統計値は概ね同一の値となる可能性が比較的高い。この場合は、画像補正ブロック５０ａ、５０ｂの両方から統計値を求めるのではなく、一方の画像補正ブロックのみから算出された統計値を画像補正に用いることとしても大きな誤差は生じない場合もある。これにより、算出された複数の統計値を総計する処理を省くことができるため、画像補正に要する時間を削減することが可能となる。
【００６５】
なお、自動画像補正回路１００において、統計値を算出するまでの画像補正ブロック５０ｂにおける処理、具体的には総和データ算出部１６ｂの処理を停止し、統計値算出部１７において統計値を総計する際に画像補正ブロック５０ｂの総和データ算出部１６ｂが総和データＳｕｍ＿ｂとして「０」を出力するようにすれば、上記した自動画像補正回路１００ａと実質的に同一の処理が行われることになる。
【００６６】
また、入力される画像データに応じて、画像補正ブロック５０ｂ内が上記の処理を実行するように切替え可能に自動画像補正回路１００を構成してもよい。例えば、入力された画像データｄ１が画面全体で変化の少ない画像である場合には複数ブロックにて複数の統計値を算出する必要がないため、画像補正ブロック５０ｂ内の処理を停止することにより、処理を簡略化することができる。
【００６７】
なお、上記した自動画像補正回路１００、１００ａでは２ブロック（画像補正ブロック５０ａと画像補正ブロック５０ｂ／５０ｃ）で画像補正を行っているが、本発明の適用はこれに限定はされず、３つ以上のブロックにて画像補正を行ってもよい。例えば、自動画像補正回路を３ブロックで構成し、各ブロックでカラー画像データのＲＧＢデータ成分をそれぞれ処理することとしてもよい。また、自動画像補正回路を４ブロックで構成し、上述の第２の画像補正方法のようにドットクロックの奇数番目と偶数番目で２つの画像データに分割し、各々をさらに２つずつのブロックで処理することとしてもよい。また、同様に自動画像補正回路を４ブロックで構成し、上述の第３の画像補正方法のように、インターレース方式の画像データを１ｓｔフィールド画像と２ｎｄフィールド画像の２つの画像データに分割し、各々をさらに２つずつのブロックで処理することとしてもよい。
【００６８】
［電子機器］
次に、本発明の自動画像補正回路１００、１００ａを適用した電子機器の例について説明する。図８は、本発明を適用した電子機器の全体構成を示す概略構成図である。ここに示す電子機器は、画像表示部としての液晶表示装置７００と、これを制御する制御手段４１０とを有する。ここでは、液晶表示装置７００を、パネル構造体４０３と、半導体ＩＣなどで構成される駆動回路４０２とに概念的に分けて描いてある。本発明の自動画像補正回路１００、１００ａは駆動回路４０２内に設けることができる。制御手段４１０は、表示情報出力源４１１と、表示情報処理回路４１２と、電源回路４１３と、タイミングジェネレータ４１４と、を有する。
【００６９】
表示情報出力源４１１は、ＲＯＭ（Read Only Memory）やＲＡＭ（Random Access Memory）などからなるメモリと、磁気記録ディスクや光記録ディスクなどからなるストレージユニットと、デジタル画像信号を同調出力する同調回路とを備え、タイミングジェネレータ４１４によって生成された各種のクロック信号に基づいて、所定フォーマットの画像信号などの形で表示情報を表示情報処理回路４１２に供給するように構成されている。
【００７０】
表示情報処理回路４１２は、シリアル−パラレル変換回路、増幅・反転回路、ローテーション回路、ガンマ補正回路、クランプ回路などの周知の各種回路を備え、入力した表示情報の処理を実行して、その画像情報をクロック信号ＣＬＫとともに駆動回路４０２へ供給する。駆動回路４０２は、走査線駆動回路、データ線駆動回路及び検査回路を含む。また、電源回路４１３は、上述の各構成要素にそれぞれ所定の電圧を供給する。
【００７１】
次に、本発明を適用した電子機器の具体例について図９を参照して説明する。
【００７２】
まず、本発明に係る自動画像補正回路１００、１００ａを、可搬型のパーソナルコンピュータ（いわゆるノート型パソコン）に適用した例について説明する。図９（ａ）は、このパーソナルコンピュータの構成を示す斜視図である。同図に示すように、パーソナルコンピュータ７１０は、キーボード７１１を備えた本体部７１２と、本発明に係る液晶表示パネルを適用した表示部７１３とを備えている。
【００７３】
続いて、本発明に係る自動画像補正回路１００、１００ａを携帯電話機に適用した例について説明する。図９（ｂ）は、この携帯電話機の構成を示す斜視図である。同図に示すように、携帯電話機７２０は、複数の操作ボタン７２１のほか、受話口７２２、送話口７２３と、液晶表示装置を使用した表示部７２４を備える。
【００７４】
なお、本発明に係る自動画像補正回路１００、１００ａを適用可能な電子機器としては他にも、液晶テレビ、テレビ電話などが挙げられる。
【図面の簡単な説明】
【００７５】
【図１】本発明の実施形態に係る自動画像補正回路の概略構成を示す図である。
【図２】第１の画像補正方法を説明するための図である。
【図３】第２の画像補正方法を説明するための図である。
【図４】画像補正ブロックに入力される画像データとクロック信号のタイムチャートである。
【図５】第３の画像補正方法を説明するための図である。
【図６】第４の画像補正方法を説明するための図である。
【図７】本発明の変形例に係る自動画像補正回路の概略構成を示す図である。
【図８】本発明の自動画像補正回路を適用した電子機器の回路ブロック図である。
【図９】本発明の自動画像補正回路を適用した電子機器の例である。
【符号の説明】
【００７６】
１１  ＬＶＤＳ受信部、  １２  ホストＩ／Ｆ、  １６ａ、１６ｂ  総和データ算出部、  １７  統計値算出部、  １８ａ、１８ｂ  補正量算出部、  １９ａ、１９ｂ  画像補正部、  ２１  マルチプレクサ、  ５０ａ、５０ｂ、５０ｃ  画像補正ブロック、  １００、１００ａ  自動画像補正回路
【図１】
2006071938.tif 000003
【図２】
2006071938.tif 000004
【図３】
2006071938.tif 000005
【図４】
2006071938.tif 000006
【図５】
2006071938.tif 000007
【図６】
2006071938.tif 000008
【図７】
2006071938.tif 000009
【図８】
2006071938.tif 000010
【図９】
2006071938.tif 000011